(57)【要約】【課題】画質不良を抑制できるようにする。【解決手段】画像形成装置は、トナーによる画像を保持する保持手段と、前記画像を記録媒体に転写する転写手段と、交流成分を有する転写電界を前記保持手段と前記転写手段との間に印加する印加手段と、前記記録媒体に転写された画像を該記録媒体に定着する定着手段と、を備え、定着後の単色ベタ画像のＬ*と前記記録媒体のＬ*との差分が最も大きい色の画像において、スクリーンと、前記転写電界の印加により周期的に発生するトナーのばらけと、が干渉しないようにされている。【選択図】図１
2020008744.tif 000002
【特許請求の範囲】
【請求項１】
トナーによる画像を保持する保持手段と、
前記画像を記録媒体に転写する転写手段と、
交流成分を有する転写電界を前記保持手段と前記転写手段との間に印加する印加手段と、
前記記録媒体に転写された画像を該記録媒体に定着する定着手段と、
を備え、
定着後の単色ベタ画像のＬ*と前記記録媒体のＬ*との差分が最も大きい色の画像において、スクリーンと、前記転写電界の印加により周期的に発生するトナーのばらけと、が干渉しないようにされた
画像形成装置。
【請求項２】
前記色の画像において、予め定められた基準線に対するドットスクリーンの角度が、０°、４５°、９０°、１３５°とは異なる角度とされている
請求項１に記載の画像形成装置。
【請求項３】
前記転写手段は、前記保持手段と接触する接触領域を有し、
前記色の画像において、前記基準線としての前記接触領域の長手方向に沿った線に対するドットスクリーンの角度が、０°、４５°、９０°、１３５°とは異なる角度とされている
請求項２に記載の画像形成装置。
【請求項４】
画像を保持する保持手段と、
前記画像を記録媒体に転写する転写手段と、
交流成分を有する転写電界を前記保持手段と前記転写手段との間に印加する印加手段と、
を備え、
黒い色の画像において、予め定められた基準線に対するドットスクリーンの角度が、０°、４５°、９０°、１３５°とは異なる角度とされている
画像形成装置。
【請求項５】
前記印加手段は、交流成分を有さない第一転写電界と、交流成分を有する第二転写電界と、を選択的に前記保持手段と前記転写手段との間に印加し、
前記印加手段が前記第一転写電界を印加する場合に、前記色の画像における前記ドットスクリーンの角度を、０°、４５°、９０°、１３５°のいずれかにし、
前記印加手段が前記第二転写電界を印加する場合に、前記色の画像における前記ドットスクリーンの角度を、０°、４５°、９０°、１３５°と異なる角度にする
請求項２〜４のいずれか１項に記載の画像形成装置。
【請求項６】
前記印加手段が前記第一転写電界を印加する場合に、前記色とは異なる異色の画像における前記ドットスクリーンの角度を、前記色の画像における前記ドットスクリーンの角度と異なる角度にし、
前記印加手段が前記第二転写電界を印加する場合に、前記異色の画像における前記ドットスクリーンの角度を、前記第一転写電界を印加する場合での前記異色の画像における前記ドットスクリーンの角度と異なる角度にする
請求項５に記載の画像形成装置。
【請求項７】
前記０°、４５°、９０°、１３５°と異なる角度とは、０°、４５°、９０°、１３５°から３°以上異なる角度である
請求項２〜６のいずれか１項に記載の画像形成装置。
【請求項８】
前記色の画像において、予め定められた基準線に対する線スクリーンの角度が、０°とは異なっている
請求項１に記載の画像形成装置。
【請求項９】
前記印加手段は、交流成分を有さない第一転写電界と、交流成分を有する第二転写電界と、を選択的に前記保持手段と前記転写手段との間に印加し、
前記印加手段が前記第一転写電界を印加する場合に、前記線スクリーンの角度を、０°にし、
前記印加手段が前記第二転写電界を印加する場合に、前記線スクリーンの角度を、０°と異なる角度にする
請求項８に記載の画像形成装置。
【請求項１０】
前記色の画像において、誤差拡散スクリーンを用いる
請求項１に記載の画像形成装置。
【請求項１１】
前記印加手段は、交流成分を有さない第一転写電界と、交流成分を有する第二転写電界と、を選択的に前記保持手段と前記転写手段との間に印加し、
前記印加手段が前記第一転写電界を印加する場合に、前記誤差拡散スクリーン以外のスクリーンを用い、
前記印加手段が前記第二転写電界を印加する場合に、前記誤差拡散スクリーンを用いる
請求項１０に記載の画像形成装置。
【発明の詳細な説明】
【技術分野】
【０００１】
本発明は、画像形成装置に関する。
【背景技術】
【０００２】
特許文献１及び特許文献２には、交流成分を有する転写電界を中間転写体と転写ロールとの間に印加して、中間転写体のトナー像を記録媒体に転写する構成が開示されている。
【先行技術文献】
【特許文献】
【０００３】
【特許文献１】特開２０１６−１７７２５２号公報
【特許文献２】特開２０１６−１８８９９１号公報
【発明の概要】
【発明が解決しようとする課題】
【０００４】
ここで、交流成分を有する転写電界を印加して画像を転写する構成では、トナーのばらけが周期的に発生し、このトナーのばらけとスクリーンとが干渉すると、バンディングやガサツキ等の画質不良の原因となる場合がある。
【０００５】
本発明は、定着後の単色ベタ画像のＬ*と記録媒体のＬ*との差分が最も大きい色の画像において、スクリーンと、転写電界の印加により周期的に発生するトナーのばらけと、が干渉する構成に比べ、画質不良を抑制できるようにすることを目的とする。
【課題を解決するための手段】
【０００６】
請求項１の発明は、トナーによる画像を保持する保持手段と、前記画像を記録媒体に転写する転写手段と、交流成分を有する転写電界を前記保持手段と前記転写手段との間に印加する印加手段と、前記記録媒体に転写された画像を該記録媒体に定着する定着手段と、を備え、定着後の単色ベタ画像のＬ*と前記記録媒体のＬ*との差分が最も大きい色の画像において、スクリーンと、前記転写電界の印加により周期的に発生するトナーのばらけと、が干渉しないようにされている。
【０００７】
請求項２の発明は、前記色の画像において、予め定められた基準線に対するドットスクリーンの角度が、０°、４５°、９０°、１３５°とは異なる角度とされている。
【０００８】
請求項３の発明では、前記転写手段は、前記保持手段と接触する接触領域を有し、前記色の画像において、前記基準線としての前記接触領域の長手方向に沿った線に対するドットスクリーンの角度が、０°、４５°、９０°、１３５°とは異なる角度とされている。
【０００９】
請求項４の発明は、画像を保持する保持手段と、前記画像を記録媒体に転写する転写手段と、交流成分を有する転写電界を前記保持手段と前記転写手段との間に印加する印加手段と、を備え、黒い色の画像において、予め定められた基準線に対するドットスクリーンの角度が、０°、４５°、９０°、１３５°とは異なる角度とされている。
【００１０】
請求項５の発明では、前記印加手段は、交流成分を有さない第一転写電界と、交流成分を有する第二転写電界と、を選択的に前記保持手段と前記転写手段との間に印加し、前記印加手段が前記第一転写電界を印加する場合に、前記色の画像における前記ドットスクリーンの角度を、０°、４５°、９０°、１３５°のいずれかにし、前記印加手段が前記第二転写電界を印加する場合に、前記色の画像における前記ドットスクリーンの角度を、０°、４５°、９０°、１３５°と異なる角度にする。
【００１１】
請求項６の発明は、前記印加手段が前記第一転写電界を印加する場合に、前記色とは異なる異色の画像における前記ドットスクリーンの角度を、前記色の画像における前記ドットスクリーンの角度と異なる角度にし、前記印加手段が前記第二転写電界を印加する場合に、前記異色の画像における前記ドットスクリーンの角度を、前記第一転写電界を印加する場合での前記異色の画像における前記ドットスクリーンの角度と異なる角度にする。
【００１２】
請求項７の発明において、前記０°、４５°、９０°、１３５°と異なる角度とは、０°、４５°、９０°、１３５°から３°以上異なる角度である。
【００１３】
請求項８の発明は、前記色の画像において、予め定められた基準線に対する線スクリーンの角度が、０°とは異なっている。
【００１４】
請求項９の発明は、前記印加手段は、交流成分を有さない第一転写電界と、交流成分を有する第二転写電界と、を選択的に前記保持手段と前記転写手段との間に印加し、前記印加手段が前記第一転写電界を印加する場合に、前記線スクリーンの角度を、０°にし、前記印加手段が前記第二転写電界を印加する場合に、前記線スクリーンの角度を、０°と異なる角度にする。
【００１５】
請求項１０の発明は、前記色の画像において、誤差拡散スクリーンを用いる。
【００１６】
請求項１１の発明は、前記印加手段は、交流成分を有さない第一転写電界と、交流成分を有する第二転写電界と、を選択的に前記保持手段と前記転写手段との間に印加し、前記印加手段が前記第一転写電界を印加する場合に、前記誤差拡散スクリーン以外のスクリーンを用い、前記印加手段が前記第二転写電界を印加する場合に、前記誤差拡散スクリーンを用いる。
【発明の効果】
【００１７】
本発明の請求項１の構成によれば、定着後の単色ベタ画像のＬ*と記録媒体のＬ*との差分が最も大きい色の画像において、スクリーンと、転写電界の印加により周期的に発生するトナーのばらけと、が干渉する構成に比べ、画質不良を抑制できる。
【００１８】
本発明の請求項２〜４のいずれか１項の構成によれば、ドットスクリーンの角度を、０°、４５°、９０°、１３５°にいずれかにする構成に比べ、画質不良を抑制できる。
【００１９】
本発明の請求項５の構成によれば、印加手段が印加する電界に関わらず、ドットスクリーンの角度を、０°、４５°、９０°、１３５°と異なる角度にする構成に比べ、印加手段が第一転写電界を印加する場合に、前記色（定着後の単色ベタ画像のＬ*と前記記録媒体のＬ*との差分が最も大きい色、又は黒い色）の画像において粒状性又は文字再現性の低下を抑制できる。
【００２０】
本発明の請求項６の構成によれば、印加手段が印加する電界に関わらず、異色の画像におけるドットスクリーンの角度が維持される場合に比べ、前記色（定着後の単色ベタ画像のＬ*と前記記録媒体のＬ*との差分が最も大きい色、又は黒い色）の画像と異色の画像との間でのモアレを抑制できる。
【００２１】
本発明の請求項７の構成によれば、ドットスクリーンの角度が、０°、４５°、９０°、１３５°から３°未満の範囲で異なる角度である構成に比べ、画質不良を抑制できる。
【００２２】
本発明の請求項８の構成によれば、線スクリーンの角度を０°にする構成に比べ、画質不良を抑制できる。
【００２３】
本発明の請求項９の構成によれば、印加手段が印加する電界に関わらず、線スクリーンの角度を０°と異なる角度にする構成に比べ、印加手段が第一転写電界を印加する場合に、画像における粒状性又は文字再現性の低下を抑制できる。
【００２４】
本発明の請求項１０の構成によれば、周期的に配置されたドットスクリーンを用いる構成に比べ、画質不良を抑制できる。
【００２５】
本発明の請求項１１の構成によれば、印加手段が印加する電界に関わらず、誤差拡散スクリーンを用いる場合に比べ、印加手段が第一転写電界を印加する場合に、画像における粒状性又は文字再現性の低下を抑制できる。
【図面の簡単な説明】
【００２６】
【図１】本実施形態に係る画像形成装置の構成を示す概略図である。
【図２】本実施形態に係るトナー像形成部で用いられるドットスクリーン及びスクリーン角度を示す図である。
【図３】比較例におけるドットスクリーンにおいて発生するトナーのばらけを示す模式図である。
【図４】本実施形態におけるドットスクリーンにおいて発生するトナーのばらけを示す模式図である。
【図５】二次転写電界及びスクリーン角度が設定される手順の一例を示すフローである。
【図６】変形例に係る画像形成装置の構成を示す概略図である。
【図７】比較例において、各色の画像で用いたドットスクリーンのスクリーン角度と、線数を示す表である。
【図８】実施例１において、各色の画像で用いたドットスクリーンのスクリーン角度と、線数を示す表である。
【図９】実施例２において、各色の画像で用いたドットスクリーンのスクリーン角度と、線数を示す表である。
【図１０】実施例３において、各色の画像で用いたドットスクリーンのスクリーン角度と、線数を示す表である。
【図１１】実施例４において、各色の画像で用いたドットスクリーンのスクリーン角度と、線数を示す表である。
【図１２】実施例５において、各色の画像で用いたドットスクリーンのスクリーン角度と、線数を示す表である。
【発明を実施するための形態】
【００２７】
以下に、本発明に係る実施形態の一例を図面に基づき説明する。
＜画像形成装置１０＞
本実施形態に係る画像形成装置１０の構成を説明する。図１は、本実施形態に係る画像形成装置１０の構成を示す概略図である。
【００２８】
図１に示される画像形成装置１０は、記録媒体に画像を形成する画像形成装置の一例である。具体的には、画像形成装置１０は、記録媒体Ｐにトナー像（画像の一例）を形成する電子写真式の画像形成装置である。さらに具体的には、画像形成装置１０は、収容部１２と、搬送部１５と、画像形成部１４と、定着装置１６と、操作部９０と、制御部２０と、を備えている。以下、画像形成装置１０の各部（収容部１２、搬送部１５、画像形成部１４、定着装置１６、操作部９０及び制御部２０）について説明する。
【００２９】
（収容部１２及び搬送部１５）
収容部１２は、用紙等の記録媒体Ｐを収容する機能を有している。搬送部１５は、記録媒体Ｐを搬送する機能を有している。具体的には、搬送部１５は、収容部１２から画像形成部１４（具体的には後述の二次転写位置Ｔ２）へ記録媒体Ｐを搬送し、画像形成部１４から定着装置１６へ搬送する機能を有している。
【００３０】
さらに具体的には、搬送部１５は、収容部１２に収容された記録媒体Ｐを送り出す送出ロール４６と、送出ロール４６によって送り出された記録媒体Ｐを画像形成部１４へ搬送する複数の搬送ロール５０と、を有している。さらに、搬送部１５は、画像形成部１４から定着装置１６へ搬送する搬送ベルト５９を有している。搬送ベルト５９は、そのベルト外周面に吸引等により記録媒体Ｐを保持した状態で周回することで、記録媒体Ｐを搬送する搬送部材である。
【００３１】
（画像形成部１４）
画像形成部１４は、トナー画像（画像の一例）を記録媒体Ｐに形成する機能を有している。具体的には、画像形成部１４は、トナー像形成部２２と、転写装置１７と、を有している。なお、画像形成部１４は、以下に説明する構成に限られず、他の構成であっても良く、記録媒体Ｐに画像を形成するものであればよい。
【００３２】
〔トナー像形成部２２〕
図１に示されるトナー像形成部２２は、色ごとにトナー像を形成するように複数備えられている。本実施形態では、イエロー（Ｙ）、マゼンタ（Ｍ）、シアン（Ｃ）、ブラック（Ｋ）の計４色のトナー像形成部２２が設けられている。図１に示す（Ｙ）、（Ｍ）、（Ｃ）、（Ｋ）は、上記各色に対応する構成部分を示している。
【００３３】
なお、画像形成装置１０では、イエロー（Ｙ）、マゼンタ（Ｍ）、シアン（Ｃ）、ブラック（Ｋ）を区別する必要がある場合は、各部材の符号の後に（Ｙ）、（Ｍ）、（Ｃ）、（Ｋ）を付し、各色を区別する必要がない場合は、（Ｙ）、（Ｍ）、（Ｃ）、（Ｋ）を省略する場合がある。また、各色のトナー像形成部２２は、用いるトナーを除き同様に構成されているので、各色のトナー像形成部２２を代表して、図１ではトナー像形成部２２（Ｙ）の各部に符号を付している。
【００３４】
各色のトナー像形成部２２は、具体的には、一方向（例えば図１における時計周り方向）に回転する感光体ドラム３２（感光体）を有している。さらに、各色のトナー像形成部２２は、帯電器２３と、露光装置３６と、現像装置３８と、除去装置４０と、を有している。
【００３５】
各色のトナー像形成部２２では、帯電器２３が、感光体ドラム３２を帯電させる。さらに露光装置３６が、帯電器２３によって帯電された感光体ドラム３２を、制御部２０から送られた画像信号に基づき露光して、感光体ドラム３２に静電潜像を形成する。また、現像装置３８が、露光装置３６によって感光体ドラム３２に形成された静電潜像を現像してトナー像を形成する。そして、除去装置４０が、後述の転写ベルト２４へのトナー像の転写後に感光体ドラム３２に残留したトナーを除去する。
【００３６】
各色のトナー像形成部２２は、図２に示されるドットスクリーンＤＳ（網点）によって、各色のトナー像を形成する構成とされている。マゼンタ、シアン及びブラックの各色のトナー像形成部２２では、スクリーン角度θ（図２参照）を変更可能となっている。具体的には、マゼンタのトナー像形成部２２（Ｍ）では、スクリーン角度θを７５°と７２°とに変更可能とされている。シアンのトナー像形成部２２（Ｃ）では、スクリーン角度θを１５°と１２°とに変更可能とされている。ブラックのトナー像形成部２２（Ｋ）では、スクリーン角度θを４５°と４２°とに変更可能とされている。
【００３７】
マゼンタ、シアン及びブラックの各色のトナー像形成部２２におけるスクリーン角度７５°１５°４５°は、後述のように、二次転写電界として直流電界が印加される場合に用いられる。また、マゼンタ、シアン及びブラックの各色のトナー像形成部２２におけるスクリーン角度７２°１２°４２°は、後述のように、二次転写電界として重畳電界が印加される場合に用いられる。
【００３８】
イエローのトナー像形成部２２（Ｙ）は、スクリーン角度θが変更されない構成とされている。イエローのトナー像形成部２２（Ｙ）では、スクリーン角度θが９０°とされている。
【００３９】
ここで、スクリーン角度θ（図２参照）とは、予め定められた基準線に対するドットスクリーンの角度の一例である。具体的には、予め定められた基準線に対するドットスクリーンの並び方向（配置方向）の角度である。予め定められた基準線とは、具体的には、例えば、後述の二次転写ロール２８が転写ベルト２４に接触する接触領域２８Ａ（ニップ領域）の長手方向に沿った基準線Ｓ１である。なお、図２では、平面視したときの接触領域２８Ａ（斜線部分）が示されている。また、予め定められた基準線は、記録媒体Ｐの搬送方向と交差する交差方向（具体的には直交方向）に沿った基準線ともいえる。また、後述の二次転写ロール２８の軸方向、又は後述の対向ロール４２Ｂの軸方向に沿った基準線ともいえる。
【００４０】
〔転写装置１７〕
図１に示される転写装置１７は、トナー像形成部２２で形成されたトナー像を記録媒体Ｐに転写する装置である。具体的には、転写装置１７は、各色の感光体ドラム３２のトナー像を、中間転写体としての転写ベルト２４に重ねて一次転写し、該重ねられたトナー像を二次転写位置Ｔ２（後述の接触領域２８Ａ）で記録媒体Ｐに二次転写する。具体的には、転写装置１７は、図１に示されるように、転写ベルト２４と、一次転写ロール２６と、二次転写ロール２８と、印加部２９と、を備えている。
【００４１】
一次転写ロール２６は、各色の感光体ドラム３２のトナー像を、感光体ドラム３２と一次転写ロール２６との間の一次転写位置Ｔ１にて転写ベルト２４に転写させるロールである。本実施形態では、一次転写ロール２６と感光体ドラム３２との間に一次転写電界が印加されることで、感光体ドラム３２に形成されたトナー像が、一次転写位置Ｔ１にて転写ベルト２４に転写される。
【００４２】
転写ベルト２４は、トナーによる画像を保持する保持手段の一例である。具体的には、転写ベルト２４は、各色の感光体ドラム３２から転写されたトナー画像を保持する機能を有している。さらに具体的には、転写ベルト２４は、以下のように構成されている。転写ベルト２４は、図１に示されるように、無端状を成し、複数のロール４２に巻き掛けられて姿勢が決められている。転写ベルト２４は、例えば、複数のロール４２のうち、ロール４２Ｄが、駆動部（図示省略）によって回転駆動することで、矢印Ａ方向へ周回する。なお、複数のロール４２のうち、図１に示すロール４２Ｂは、二次転写ロール２８の対向ロール４２Ｂとして機能する。
【００４３】
二次転写ロール２８は、画像を記録媒体に転写する転写手段の一例である。具体的には、二次転写ロール２８は、転写ベルト２４に保持されたトナー画像を記録媒体Ｐに転写する機能を有している。さらに具体的には、二次転写ロール２８は、以下のように構成されている。二次転写ロール２８は、転写ベルト２４に接触する接触領域２８Ａ（ニップ領域）を有している。この接触領域２８Ａが二次転写位置Ｔ２とされている。また、二次転写ロール２８は、接触領域２８Ａにおいて転写ベルト２４との間に記録媒体Ｐを挟んで搬送する。
【００４４】
印加部２９は、交流成分を有する転写電界を保持手段と転写手段との間に印加する印加手段の一例である。具体的には、印加部２９は、二次転写ロール２８と対向ロール４２Ｂ（転写ベルト２４）との間に、交流成分を有する二次転写電界を印加する機能を有している。
【００４５】
さらに具体的には、印加部２９は、二次転写電界として、直流成分を有し交流成分を有さない直流電界と、直流成分に交流成分を重畳した重畳電界と、を選択的に印加する構成とされている。直流電界は、第一転写電界の一例である。重畳電界は、第二転写電界の一例である。
【００４６】
転写装置１７では、印加部２９が、二次転写ロール２８と対向ロール４２Ｂ（転写ベルト２４）との間に二次転写電界（直流電界又は重畳電界）を印加することで、転写ベルト２４に重ねられたトナー像が二次転写位置Ｔ２にて記録媒体Ｐに転写される。
【００４７】
（定着装置１６）
図１に示される定着装置１６は、記録媒体に転写された画像を記録媒体に定着する定着手段の一例である。具体的には、定着装置１６は、二次転写ロール２８によって記録媒体Ｐに転写されたトナー像を該記録媒体Ｐに定着する装置である。さらに具体的には、定着装置１６は、図１に示されるように、加熱部材としての加熱ロール８２と、加圧部材としての加圧ロール８４と、を有している。
【００４８】
定着装置１６では、加熱ロール８２及び加圧ロール８４によって、記録媒体Ｐを加熱及び加圧することで、記録媒体Ｐに形成されたトナー像を該記録媒体Ｐに定着する。
【００４９】
（操作部９０）
図１に示される操作部９０（操作手段）では、使用する記録媒体Ｐの種類を操作者（ユーザ）が選択する操作が可能となっている。選択される記録媒体Ｐの種類としては、二次転写電界として直流電界の印加が適する予め定められた第一種類（以下、直流適合種類という）と、二次転写電界として重畳電界の印加が適する予め定められた第二種類（以下、重畳適合種類という）と、がある。
【００５０】
直流適合種類としては、表面に予め定められた大きさ未満の凹凸を有する用紙、具体的には、普通紙等がある。重畳適合種類としては、表面に予め定められた大きさ以上の凹凸を有する用紙、具体的には、エンボス紙、ラフ紙等がある。
【００５１】
なお、操作部は、使用する記録媒体Ｐの種類が外部から入力される入力部（入力手段）ともいえる。
【００５２】
（制御部２０）
図１に示される制御部２０は、搬送部１５、画像形成部１４及び定着装置１６を含む画像形成装置１０の各部の動作を制御する機能を有している。この制御部２０には、搬送部１５、画像形成部１４及び定着装置１６を含む画像形成装置１０の各部が接続されている。
【００５３】
さらに、制御部２０は、二次転写電界設定部２０２と、スクリーン角度設定部２０４と、を有している。二次転写電界設定部２０２は、操作部９０を通じて選択された記録媒体Ｐの種類に応じて、二次転写電界として、重畳電界及び直流電界のいずれかを設定する機能を有している。具体的には、二次転写電界設定部２０２は、操作部９０を通じて選択された記録媒体Ｐの種類が直流適合種類である場合に、二次転写電界として直流電界を設定する。また、二次転写電界設定部２０２は、操作部９０を通じて選択された記録媒体Ｐの種類が重畳適合種類である場合に、二次転写電界として重畳電界を設定する。
【００５４】
そして、制御部２０は、二次転写電界設定部２０２で設定された二次転写電界（重畳電界又は直流電界）を印加部２９に印加させる。
【００５５】
なお、二次転写電界設定部２０２において、直流電界が初期設定されており、操作部９０を通じて選択された記録媒体Ｐの種類が重畳適合種類である場合に、重畳電界に設定変更する構成とされていてもよい。
【００５６】
スクリーン角度設定部２０４は、操作部９０を通じて選択された記録媒体Ｐの種類に応じて、マゼンタ、シアン及びブラックの各色のトナー像形成部２２で用いるスクリーン角度θ（図２参照）を設定する。
【００５７】
具体的には、スクリーン角度設定部２０４は、操作部９０を通じて選択された記録媒体Ｐの種類が直流適合種類である場合に、マゼンタ、シアン及びブラックの各色のトナー像形成部２２で用いるスクリーン角度θとして、７５°、１５°、４５°を設定する。
【００５８】
また、スクリーン角度設定部２０４は、操作部９０を通じて選択された記録媒体Ｐの種類が重畳適合種類である場合に、マゼンタ、シアン及びブラックの各色のトナー像形成部２２で用いるスクリーン角度θとして、７２°、１２°、４２°を設定する。この設定により、マゼンダ、シアン及びブラックの各色間における相対角度は変化しない。
【００５９】
そして、制御部２０は、スクリーン角度設定部２０４で設定されたスクリーン角度θを用いて、マゼンタ、シアン及びブラックの各色のトナー像形成部２２にトナー像を形成させる。マゼンタ、シアン及びブラックの各色のトナー像形成部２２では、スクリーン角度設定部２０４で設定されたスクリーン角度θを用いて画像処理された画像信号に基づき、露光して、感光体ドラム３２に静電潜像を形成することで、トナー像を形成する。
【００６０】
この結果、本実施形態では、二次転写電界として直流電界が印加される場合に、ブラックのトナー像形成部２２（Ｋ）で形成された黒色（黒い色の一例）の画像において、スクリーン角度θが４５°とされる。また、二次転写電界として直流電界が印加される場合に、マゼンタのトナー像形成部２２（Ｍ）で形成されたマゼンタの画像において、スクリーン角度θが７５°とされる。また、二次転写電界として直流電界が印加される場合に、シアンのトナー像形成部２２（Ｓ）で形成されたシアンの画像において、スクリーン角度θが１５°とされる。
【００６１】
「黒色の画像」は、「定着後の単色ベタ画像のＬ＊と記録媒体ＰのＬ＊との差分が最も大きい色の画像」の一例である。「定着後の単色ベタ画像」とは、一色のトナーで形成されたベタ画像であって、記録媒体Ｐに転写され、さらに定着装置１６によって該記録媒体Ｐに定着されたベタ画像である。また、「Ｌ＊（エルスター）」は、ＪＩＳ Ｚ ８７８１−４に規定される明度指数である。Ｌ＊（エルスター）は、例えば、Ｘ−Ｒｉｔｅ  ９３８（エックスライト株式会社製）を用いて測定可能である。そして、記録媒体Ｐが白紙である場合では、前述の差分が最も大きい色はブラック（黒色）である。
【００６２】
「マゼンタの画像及びシアンの画像」は、「定着後の単色ベタ画像のＬ＊と記録媒体ＰのＬ＊との差分が最も大きい色とは異なる異色の画像」の一例である。
【００６３】
マゼンタの画像においてスクリーン角度θに用いられる「７５°」、及び、シアンの画像においてスクリーン角度θに用いられる「１５°」は、「色の画像におけるドットスクリーンの角度と異なる角度」の一例、すなわち「黒色の画像において用いられるスクリーン角度θ（４５°）とは異なる角度」の一例である。
【００６４】
さらに、本実施形態では、二次転写電界として重畳電界が印加される場合に、ブラックのトナー像形成部２２（Ｋ）で形成された黒色の画像において、スクリーン角度θが４２°とされる。また、二次転写電界として重畳電界が印加される場合に、マゼンタのトナー像形成部２２（Ｍ）で形成されたマゼンタの画像において、スクリーン角度θが７２°とされる。また、二次転写電界として重畳電界が印加される場合に、シアンのトナー像形成部２２（Ｓ）で形成されたシアンの画像において、スクリーン角度θが１２°とされる。
【００６５】
黒色の画像においてスクリーン角度θに用いられる「４２°」は、「０°、４５°、９０°、１３５°とは異なる角度」の一例である。また、当該「４２°」は、「０°、４５°、９０°、１３５°から３°以上異なる角度」の一例でもある。さらに、当該「４２°」は、「０°、４５°、９０°、１３５°の何れかから２２．５°以上ずれていない角度」の一例でもある。当該「４２°」は、０°、４５°、９０°、１３５°の何れか（本実施形態では、４５°）からのずれが２２．５°未満の範囲に収まった角度である。換言すれば、当該「４２°」は、「０°、４５°、９０°、１３５°のうち、隣接する２つの角度（例えば、０°、４５°）の中間値、すなわち、２２．５°、６７．５°及び１１２．５°」とは異なる角度である。
【００６６】
マゼンタの画像においてスクリーン角度θに用いられる「７２°」、及び、シアンの画像においてスクリーン角度θに用いられる「１２°」は、「第一転写電界を印加する場合での異色の画像におけるドットスクリーンの角度と異なる角度」の一例である。すなわち、マゼンタの画像及びシアンの画像において用いられるスクリーン角度θは、二次転写電界として直流電界が印加される場合と、重畳電界が印加される場合とで異なっている。
【００６７】
ここで、二次転写電界として重畳電界が印加される場合では、図３に示されるように、交流成分の周波数に応じて、電界の向きが転写方向（対向ロール４２Ｂから二次転写ロール２８へ向かう方向）と、戻し方向（二次転写ロール２８から対向ロール４２Ｂへ向かう方向）とに変化する。なお、図３には、重畳電界として、一周期における戻し方向に対する転写方向の比率を少なくした矩形波を使用した例を示している。図３において、矩形波は、太線にて示されている。また、図３において、ＴＨ部分は、電界の向きが転写方向である部分を示している。
【００６８】
そして、二次転写ロール２８と転写ベルト２４との接触領域２８Ａ（ニップ領域）から記録媒体Ｐと共に該記録媒体Ｐ上のトナー像が導出される際に、二次転写電界の向きが転写方向である場合において、トナー像にトナーのばらけが発生する。トナーのばらけとは、トナーのドットが拡散して大きくなる現象である。この現象は、二次転写電界の向きが戻し方向から転写方向へ変化して、トナー画像の各ドットが、接触領域２８Ａから導出される際に記録媒体Ｐに衝突することで、発生するものと推測される。
【００６９】
前述のように、接触領域２８Ａから記録媒体Ｐ上のトナー像が導出される際に、二次転写電界の向きが転写方向である場合において、トナー像にトナーのばらけが発生するため、トナーのばらけは、重畳電界の交流成分の周期に応じた周期で発生する。トナーのばらけは、具体的には、当該周期で接触領域２８Ａの短手方向に間隔をおいて、接触領域２８Ａの長手方向に沿って長さを有する帯状（列状）の範囲で発生する（図３参照）。
【００７０】
なお、図３では、トナーばらけが発生したドットスクリーン（網点）に符号ＤＴにて示されている。また、図３では、トナーが拡散した部分が、網掛けにて示されている。さらに、図３では、接触領域２８Ａの長手方向に対応する方向が矢印Ｘにて示され、接触領域２８Ａの短手方向に対応する方向が矢印Ｙにて示されている。
【００７１】
そして、トナーのばらけの発生周期において、ドットスクリーンＤＳ（網点）が記録媒体Ｐ上で接触領域２８Ａの長手方向（Ｘ方向）に沿って配置されていると、周囲よりも濃度が高くなった筋状の部分（バンディング）が発生する。なお、筋状の部分は、画像のガサツキとして視認される場合がある。
【００７２】
トナーのばらけの発生周期（図３のＴＨ部分参照）においてドットスクリーンＤＳが記録媒体Ｐ上で接触領域２８Ａの長手方向（Ｘ方向）に沿って配置された状態は、スクリーンとトナーのばらけと干渉した状態の一例である。
【００７３】
これに対して、本実施形態では、前述のように、二次転写電界として重畳電界が印加される場合に、黒色の画像において、スクリーン角度θが４２°とされるため、図４に示されるように、トナーのばらけの発生周期（図４のＴＨ部分参照）において、ドットスクリーンＤＳ（網点）が記録媒体Ｐ上で接触領域２８Ａの長手方向（Ｘ方向）に対して傾斜して配置される。すなわち、トナーのばらけの発生周期（図４のＴＨ部分参照）において、ドットスクリーンＤＳ（網点）が記録媒体Ｐ上で接触領域２８Ａの長手方向（Ｘ方向）に沿った方向に配置されていない。したがって、スクリーンとトナーのばらけと干渉しないようになっている。換言すれば、本実施形態は、二次転写電界として重畳電界が印加される場合に、黒色の画像において、ドットスクリーンＤＳが記録媒体Ｐ上で接触領域２８Ａの長手方向（Ｘ方向）に対して傾斜して配置される構成ともいえる。
【００７４】
なお、スクリーン角度設定部２０４において、マゼンタ、シアン及びブラックの各色のトナー像形成部２２で用いるスクリーン角度θとして、７５°１５°４５°が初期設定されており、操作部９０を通じて選択された記録媒体Ｐの種類が重畳適合種類である場合に、マゼンタ、シアン及びブラックの各色のトナー像形成部２２で用いるスクリーン角度θとして、７２°１２°４２°に設定変更する構成とされていてもよい。この設定変更により、マゼンダ、シアン及びブラックの各色間における相対角度は変化しない。
【００７５】
＜本実施形態の作用＞
本実施形態の画像形成装置１０の作用を、図５に示されるフローの一例を用いて説明する。
【００７６】
画像形成装置１０では、まず、ステップ３００にて、操作者（ユーザ）によって、操作部９０を通じて、使用する記録媒体Ｐの種類の選択が行われる。
【００７７】
ステップ３０２にて、ステップ３００において選択された記録媒体Ｐの種類が、二次転写電界として直流電界の印加が適する予め定められた重畳適合種類（例えば、エンボス紙、ラフ紙）であるか否かの判定がなされる。
【００７８】
この結果、選択された記録媒体Ｐの種類が重畳適合種類であると判定された場合は、ステップ３０４にて、二次転写電界設定部２０２が二次転写電界として重畳電界を設定する。
【００７９】
さらに、ステップ３０６にて、スクリーン角度設定部２０４が、マゼンタ、シアン及びブラックの各色のトナー像形成部２２で用いるスクリーン角度θとして、７２°１２°４２°を設定する。
【００８０】
そして、ステップ３０８にて、画像形成動作を実行する。この結果、二次転写電界として重畳電界を用い、且つ、マゼンタ、シアン及びブラックの各色のトナー像形成部２２のスクリーン角度θとして７２°１２°４２°を用いて、画像形成動作が実行される。すなわち、本実施形態では、二次転写電界として重畳電界が印加される場合に、ブラックのトナー像形成部２２（Ｋ）で形成された黒色の画像において、スクリーン角度θとして４２°が用いられる。
【００８１】
ステップ３０２での判定結果、選択された記録媒体Ｐの種類が重畳適合種類であるとの判定が得られなかった場合、すなわち、選択された記録媒体Ｐの種類が直流適合種類である場合は、ステップ３１０にて、二次転写電界設定部２０２が二次転写電界として直流電界を設定する。
【００８２】
さらに、ステップ３１２にて、スクリーン角度設定部２０４が、マゼンタ、シアン及びブラックの各色のトナー像形成部２２で用いるスクリーン角度θとして、スクリーン角度θ７５°１５°４５°を設定する。
【００８３】
そして、ステップ３０８にて、画像形成動作を実行する。この結果、二次転写電界として直流電界を用い、且つ、マゼンタ、シアン及びブラックの各色のトナー像形成部２２のスクリーン角度θとして７５°１５°４５°を用いて、画像形成動作が実行される。
【００８４】
前述のように、本実施形態では、二次転写電界として重畳電界が印加される場合に、ブラックのトナー像形成部２２（Ｋ）で形成された黒色の画像において、スクリーン角度θとして４２°が用いられる。
【００８５】
これにより、図４に示されるように、ドットスクリーンＤＳ（網点）が記録媒体Ｐ上で接触領域２８Ａの長手方向（基準線）に対して傾斜して配置される。このため、スクリーンとトナーのばらけと干渉しないようになっている。
【００８６】
これにより、二次転写電界として重畳電界が印加される場合に黒色の画像において、スクリーン角度θとして、０°、４５°、９０°、１３５°を用いる構成（第一構成）に比べ、ドットスクリーンＤＳが、接触領域２８Ａの長手方向に沿って連続して、トナーばらけが発生することが抑制される。本実施形態では、トナーばらけが発生するドットスクリーンは、例えば、接触領域２８Ａの長手方向に数ドット分（例えば１ｍｍ）程度の長さとなる。これにより、第一構成に比べ、周囲よりも濃度が高くなった筋状の部分が発生にくく、画質不良が抑制される。
【００８７】
なお、転写ベルト２４が斜行することで、接触領域２８Ａの長手方向に対して傾斜する場合があるが、この傾斜は、０．１°程度である。この傾きでは、周囲よりも濃度が高くなった筋状の部分の発生する効果が小さい。
【００８８】
また、二次転写電界として重畳電界が印加される場合に黒色の画像において、スクリーン角度θとして用いられる４２°は、０°、４５°、９０°、１３５°から３°以上異なる角度であるため、スクリーン角度θが、０°、４５°、９０°、１３５°から３°未満の範囲で異なる角度である構成に比べ、ドットスクリーンが、接触領域２８Ａの長手方向に沿って連続して配置されにくい。このため、画質不良が抑制される。
【００８９】
また、当該４２°は、０°、４５°、９０°、１３５°の何れかから２２．５°以上ずれていない角度でもある。このため、４つの禁止角度（０°、４５°、９０°、１３５°）のうち、隣接する２つの禁止角度（例えば０°、４５°）から異なるずれ量が確保される。
【００９０】
また、本実施形態では、二次転写電界として重畳電界が印加される場合に、マゼンタ、シアンの各画像において、スクリーン角度θとして、７２°、１２°が用いられる。
【００９１】
ここで、黒色の画像におけるスクリーン角度θに対して、マゼンタ、シアンの各画像のスクリーン角度θが３０°の角度差を有していると、画像間でのモアレが発生しにくい。そして、本実施形態では、黒色の画像におけるスクリーン角度θとの角度差が維持されるように、マゼンタ、シアンの各画像においてスクリーン角度θとして、７２°、１２°が用いる。このため、印加される二次転写電界に関わらず、マゼンタ、シアンの各画像のスクリーン角度θが維持される場合に比べ、マゼンタ、シアンの各画像と、黒色の画像との間でのモアレを抑制される。
【００９２】
また、本実施形態では、二次転写電界として直流電界が印加される場合に、ブラックのトナー像形成部２２（Ｋ）で形成された黒色の画像において、スクリーン角度θとして４５°が用いられる。
【００９３】
これにより、ドットスクリーン（網点）が記録媒体Ｐ上で接触領域２８Ａの長手方向に沿って配置されるため、印加される二次転写電界に関わらずスクリーン角度θとして４２°を用いる構成に比べ、印加部２９が直流電界を印加する場合に、黒色の画像において粒状性や文字再現性の低下が抑制される。
【００９４】
＜本実施形態の変形例＞
本実施形態では、二次転写電界として直流電界が印加される場合に、黒色の画像において、スクリーン角度θが４５°とされていたが、これに限られない。例えば、二次転写電界として直流電界が印加される場合に、黒色の画像において、スクリーン角度θが０°、９０°、１３５°のいずれかとされていてもよい。
【００９５】
また、本実施形態では、二次転写電界として重畳電界が印加される場合に、黒色の画像において、スクリーン角度θが４２°とされていたが、これに限られない。例えば、二次転写電界として重畳電界が印加される場合に、黒色の画像において、スクリーン角度θが、４２°以上８７°以下の範囲の角度（４２°を除く）とされていてもよく、０°、４５°、９０°、１３５°とは異なる角度であればよい。
【００９６】
また、本実施形態では、操作者（ユーザ）が選択した記録媒体Ｐの種類に応じて、二次転写電界として、直流電界及び重畳電界のいずれかが設定されていたが、これに限られない。例えば、操作者（ユーザ）が、直接、二次転写電界として、直流電界及び重畳電界のいずれかを選択する構成であってもよい。この場合では、例えば、操作者（ユーザ）が選択した二次転写電界に応じて、スクリーン角度θが設定される。すなわち、操作者（ユーザ）によって選択された二次転写電界が直流電界である場合に、マゼンタ、シアン及びブラックの各色のトナー像形成部２２で用いるスクリーン角度θとして、７５°、１５°、４５°を設定する。また、操作者（ユーザ）によって選択された二次転写電界が重畳電界である場合に、マゼンタ、シアン及びブラックの各色のトナー像形成部２２で用いるスクリーン角度θとして、７２°、１２°、４２°を設定する。
【００９７】
また、本実施形態では、二次転写電界として、直流電界及び重畳電界が選択的に用いられる構成とされていたが、これに限られない。例えば、二次転写電界として、重畳電界のみが用いられる構成であってもよい。この場合では、例えば、マゼンタ、シアン及びブラックの各画像において、スクリーン角度θとして７２°１２°４２°が用いられる構成とされる。
【００９８】
また、本実施形態では、保持手段の一例として、中間転写体としての転写ベルト２４を適用した中間転写方式の画像形成装置を用いたが、これに限られない。例えば、保持手段の一例としての感光体が保持した画像を記録媒体Ｐに直接転写する直接転写方式の画像形成装置を用いてもよい。
【００９９】
また、本実施形態では、イエロー（Ｙ）、マゼンタ（Ｍ）、シアン（Ｃ）、ブラック（Ｋ）の計４色のトナー像形成部２２が設けられていたが、これに限られない。たとえば、ブラック（Ｋ）のトナー像形成部２２のみが設けられた画像形成装置であってもよい。すなわち、モノクロ式の画像形成装置であってもよい。
【０１００】
＜画像形成装置の変形例＞
画像形成装置としては、図６に示されるように、イエロー（Ｙ）、マゼンタ（Ｍ）、シアン（Ｃ）、ブラック（Ｋ）、特別色（Ｗ）の計５色のトナー像形成部２２が設けられている画像形成装置２００であってもよい。特別色は、通常色（イエロー（Ｙ）、マゼンタ（Ｍ）、シアン（Ｃ）、ブラック（Ｋ））とは異なる色である。特別色としては、例えば、ホワイト（白）が用いられる。
【０１０１】
特別色（Ｗ）のトナー像形成部２２は、例えば、転写ベルト２４の回転方向において、通常色のトナー像形成部２２に対する下流側であって、二次転写位置Ｔ２に対する上流側に配置されている。なお、特別色（Ｗ）のトナー像形成部２２は、転写ベルト２４の回転方向において、通常色のトナー像形成部２２に対する上流側であって、二次転写位置Ｔ２に対する下流側に配置されていてもよい。図６に示す（Ｙ）、（Ｍ）、（Ｃ）、（Ｋ）、（Ｗ）は、上記各色に対応する構成部分を示している。
【０１０２】
画像形成装置２００では、イエロー（Ｙ）、マゼンタ（Ｍ）、シアン（Ｃ）、ブラック（Ｋ）、特別色（Ｗ）を区別する必要がある場合は、各部材の符号の後に（Ｙ）、（Ｍ）、（Ｃ）、（Ｋ）、（Ｗ）を付し、各色を区別する必要がない場合は、（Ｙ）、（Ｍ）、（Ｃ）、（Ｋ）、（Ｗ）を省略する場合がある。
【０１０３】
また、各色のトナー像形成部２２は、用いるトナーを除き同様に構成されているので、各色のトナー像形成部２２を代表して、図６ではトナー像形成部２２（Ｗ）の各部に符号を付している。
【０１０４】
画像形成装置２００では、二次転写電界として直流電界が印加される場合に、特別色のトナー像形成部２２（Ｗ）で形成された白色の画像において、スクリーン角度θとして、４５°が用いられる。
【０１０５】
「白色の画像」は、「定着後の単色ベタ画像のＬ＊と記録媒体ＰのＬ＊との差分が最も大きい色の画像」の一例である。具体的には、記録媒体Ｐが、黒色の紙である場合において、前述の差分が最も大きい色はホワイト（白色）である。
【０１０６】
また、画像形成装置２００では、二次転写電界として重畳電界が印加される場合に、白色の画像において、スクリーン角度θとして、４８°が用いられる。白色の画像においてスクリーン角度θに用いられる「４８°」は、「０°、４５°、９０°、１３５°とは異なる角度」の一例である。また、当該「４８°」は、「０°、４５°、９０°、１３５°から３°以上異なる角度」の一例でもある。さらに、当該「４８°」は、「０°、４５°、９０°、１３５°から２２．５°以上ずれていない角度」の一例でもある。
【０１０７】
なお、イエロー、マゼンタ、シアン及びブラックの各色の画像において、用いられるスクリーン角度θは、前述の画像形成装置１０と同様である。
【０１０８】
本変形例では、二次転写電界として重畳電界が印加される場合に、白色の画像において、スクリーン角度θとして４８°が用いられるので、ドットスクリーンＤＳ（網点）が記録媒体Ｐ上で接触領域２８Ａの長手方向に対して傾斜して配置される（図４参照）。このため、スクリーンとトナーのばらけと干渉しないようになっている。
【０１０９】
これにより、二次転写電界として重畳電界が印加される場合に白色の画像において、スクリーン角度θとして、０°、４５°、９０°、１３５°を用いる構成（第二構成）に比べ、ドットスクリーンが、接触領域２８Ａの長手方向に沿って連続して、トナーばらけが発生することが抑制される。これにより、第二構成に比べ、周囲よりも濃度が高くなった筋状の部分が発生にくく、画質不良が抑制される。
【０１１０】
このように、本変形例においても、前述の画像形成装置１０と同様の作用効果を有する。なお、特別色として、銀色、金色などを用いてもよい。この場合、黒色の紙である場合において、前述の差分が最も大きい色は、銀色、金色となり、本変形例の構成が適用可能である。
【０１１１】
＜スクリーンの第一変形例＞
前述の実施形態では、二次転写電界として重畳電界が印加される場合に、黒色の画像において、ドットスクリーンのスクリーン角度θが４２°とされていたが、これに限られない。例えば、二次転写電界として重畳電界が印加される場合に、黒色の画像において、誤差拡散スクリーンを用いてもよい。誤差拡散スクリーンは、ドットスクリーン（網点）が非周期的に配置されるスクリーンである。このため、ドットスクリーンが、接触領域２８Ａの長手方向に沿って配置されず、スクリーンとトナーのばらけと干渉しないようになっている。
【０１１２】
これにより、二次転写電界として重畳電界が印加される場合に黒色の画像において、周期的に配置されたドットスクリーンを用いる構成（第三構成）に比べ、ドットスクリーンが、接触領域２８Ａの長手方向に沿って連続して、トナーばらけが発生することが抑制される。このため、第三構成に比べ、周囲よりも濃度が高くなった筋状の部分が発生にくく、画質不良が抑制される。
【０１１３】
なお、本変形例では、二次転写電界として重畳電界が印加される場合に、マゼンタ及びシアンの画像においても、誤差拡散スクリーンを用いてもよい。
【０１１４】
また、本変形例では、二次転写電界として直流電界が印加される場合に、前述の実施形態と同様に、黒色の画像において、例えば、スクリーン角度θが４５°とされたドットスクリーンが用いられる。
【０１１５】
これにより、ドットスクリーン（網点）が記録媒体Ｐ上で接触領域２８Ａの長手方向に沿って配置されるため、印加される二次転写電界に関わらず誤差拡散スクリーンを用いる構成に比べ、印加部２９が直流電界を印加する場合に、黒色の画像において粒状性や文字再現性の低下が抑制される。
【０１１６】
なお、二次転写電界として直流電界が印加される場合に、用いるスクリーンとしては、誤差拡散スクリーン以外のスクリーンであればよい。
【０１１７】
＜スクリーンの第二変形例＞
本変形例では、ドットスクリーンに代えて、線状に形成された線スクリーンを用いる。具体的には、本変形例では、二次転写電界として重畳電界が印加される場合に、黒色の画像において、例えば、スクリーン角度が９０°とされた線スクリーンが用いられる。なお、当該「９０°」は、「０°とは異なる角度」の一例である。
【０１１８】
これにより、線スクリーンが記録媒体Ｐ上で接触領域２８Ａの長手方向に対して、角度を有して配置される。このため、スクリーンとトナーのばらけと干渉しないようになっている。
【０１１９】
これにより、二次転写電界として重畳電界が印加される場合に黒色の画像において、線スクリーンの角度として０°を用いる構成（第四構成）に比べ、線スクリーンが、接触領域２８Ａの長手方向に沿って連続して、トナーばらけが発生することが抑制される。このため、第四構成に比べ、周囲よりも濃度が高くなった筋状の部分が発生にくく、画質不良が抑制される。
【０１２０】
また、二次転写電界として直流電界が印加される場合に、黒色の画像において、例えば、スクリーン角度が０°とされた線スクリーンが用いられる。これにより、線スクリーンが記録媒体Ｐ上で接触領域２８Ａの長手方向に沿って配置されるため、印加される二次転写電界に関わらず、線スクリーンの角度をとして９０°を用いる構成に比べ、印加部２９が直流電界を印加する場合に、黒色の画像において粒状性や文字再現性の低下が抑制される。
【０１２１】
本発明は、上記の実施形態に限るものではなく、その主旨を逸脱しない範囲内において種々の変形、変更、改良が可能である。例えば、上記に示した変形例は、適宜、複数を組み合わせて構成してもよい。
＜評価＞
実施例及び比較例において、周囲よりも濃度が高くなった筋状の部分（バンディング）の発生の有無について評価を行った。
本評価では、実施例１、２、４、５及び比較例において、前述の画像形成装置１０と同様に構成されたプリンタを用いた。実施例３において、特別色のトナー像形成部２２（Ｗ）を有する前述の画像形成装置２００と同様に構成されたプリンタを用いた。
実施例１〜３及び比較例では、重畳電界を印加して、イエロー（Ｙ）、マゼンタ（Ｍ）、シアン（Ｃ）、ブラック（Ｋ）の４色のカラー画像を形成した。プロセス速度を４４４ｍｍ／ｓとし、重畳電界の周波数を５００Ｈｚとした。
（比較例）
図７の表に示されるように、イエロー、マゼンタ、シアン、及びブラックの各画像において、ドットスクリーンのスクリーン角度を９０°、７５°、１５°、４５°とした。また、イエロー、マゼンタ、シアン、及びブラックの画像において、ドットスクリーンの線数を２００本／ｉｎｃｈとした。
（実施例１）
図８の表に示されるように、イエロー、マゼンタ、シアン、及びブラックの各画像において、ドットスクリーンのスクリーン角度を９０°、７５°、１５°、４２°とした。また、イエロー、マゼンタ、シアン、及びブラックの画像において、ドットスクリーンの線数を２００本／ｉｎｃｈとした。
（実施例２）
図９の表に示されるように、イエロー、マゼンタ、シアン、及びブラックの各画像において、ドットスクリーンのスクリーン角度を９０°、７２°、１２°、４２°とした。また、イエロー、マゼンタ、シアン、及びブラックの画像において、ドットスクリーンの線数を２００本／ｉｎｃｈとした。
（実施例３）
図１０の表に示されるように、イエロー、マゼンタ、シアン、ブラック、及びホワイトの各画像において、ドットスクリーンのスクリーン角度を９０°、７２°、１２°、４２°、４８°とした。また、イエロー、マゼンタ、シアン、ブラック、及びホワイトの画像において、ドットスクリーンの線数を２００本／ｉｎｃｈとした。
（実施例４）
図１１の表に示されるように、イエロー、マゼンタ、及びシアンの各画像において、ドットスクリーンのスクリーン角度を９０°、７５°、１５°とした。また、イエロー、マゼンタ、及びシアンの画像において、ドットスクリーンの線数を２００本／ｉｎｃｈとした。ブラックの画像において、誤差拡散スクリーンを用いた。
（実施例５）
実施例５では、線スクリーンを用いて画像を形成した。図１２の表に示されるように、イエロー、マゼンタ、シアン、及びブラックの各画像において、線スクリーンのスクリーン角度を９０°、７５°、１５°、９０°とした。また、イエロー、マゼンタ、シアン、及びブラックの画像において、線スクリーンの線数を２００本／ｉｎｃｈとした。
（評価結果）
比較例では、バンディングが発生したのに対して、実施例１〜５では、バンディングが発生しなかった。また、実施例２では、色間で発生するモアレの発生もなかった。
【符号の説明】
【０１２２】
１０   画像形成装置
１６   定着装置（定着手段の一例）
２４   転写ベルト（保持手段の一例）
２８   二次転写ロール（転写手段の一例）
２８Ａ 接触領域
２９   印加部（印加手段の一例）
２００ 画像形成装置
θ     スクリーン角度
Ｓ１   基準線
【図１】
2020008744.tif 000003
【図２】
2020008744.tif 000004
【図３】
2020008744.tif 000005
【図４】
2020008744.tif 000006
【図５】
2020008744.tif 000007
【図６】
2020008744.tif 000008
【図７】
2020008744.tif 000009
【図８】
2020008744.tif 000010
【図９】
2020008744.tif 000011
【図１０】
2020008744.tif 000012
【図１１】
2020008744.tif 000013
【図１２】
2020008744.tif 000014